(57)【要約】【課題】不正な開封があった履歴を確実に残すことが可能で、適用するホログラムシールが商品に接触して損傷する恐れが無く、しかも一般的な材料を用いて構成することが可能なブリスター包装体を提供することを課題とする。【解決手段】ブリスター包装体１の一方のプラスチックシート２１に形成した凸部２１ａ内に物品３を収納し、ホログラムシール５をプラスチックシート２１と台紙４の両方に接着させて介在させ、開封時にホログラムが破壊されるよう構成した。ホログラムを構成する層がプラスチックシート２１側と台紙４側に部分的に分かれて破壊することがより好ましい。【選択図】        図１
2005212811.tif 000002
【特許請求の範囲】
【請求項１】
少なくとも二枚のシートが重ねられて固着され、前記二枚のシートのうち、少なくとも一方のシートが周囲を残して外側に向かって突出したことによる凸部を有し、前記凸部内に物品が収納され、かつ、前記二枚のシートどうしが前記凸部以外の一部において、シート状のホログラムを介して接着していることを特徴とするブリスター包装体。
【請求項２】
前記ホログラムの両面に接着剤層を有しているものであることを特徴とする請求項１記載のブリスター包装体。
【請求項３】
前記のホログラムの両面の接着剤層または／およびホログラムの内部において、部分的に接着強度の異なる部分を有し、前記ホログラムを介して接着している前記二枚のシートを剥離する際に、前記ホログラムが部分毎に前記二枚のシートに分離するよう構成されていることを特徴とする請求項１または請求項２記載のブリスター包装体。
【発明の詳細な説明】
【技術分野】
【０００１】
本発明は、ホログラム等の光回折構造体を利用することにより、偽造や改ざんを防止したブリスター包装体に関するものである。
【背景技術】
【０００２】
包装材料を用いて種々の商品を包装した包装体の一つとしてブリスター包装体がある。ブリスター包装体は、透明な厚みのあるプラスチックシートを成型して中央部に凹部を、周囲にフランジ部を形成し、凹部に商品を収納した上に平坦な台紙を重ね、プラスチックシートのフランジ部を利用して台紙との間を、接着もしくは針金留め等により固着したものを基本形とし、種々のバリエーションを有する。ブリスター包装体は、内容物である商品が見えやすく、内容物の保護機能が高く、また、プラスチックシートのフランジ部に孔をあける等により、店頭で商品を吊り下げて展示するのに適する等の利点を有している。
【０００３】
ブリスター包装体中の物品は、ブリスター包装体を構成するプラスチックシートと台紙の接着している部分を剥がすか、もしくは針金留めされている箇所の針金を外す等してプラスチックシートと台紙を分離開封することにより、取り出すことができる。従って、ブリスター包装体は、通常の状態で自然に開封してしまうことは無いものの、開封すること自体は比較的容易に行なえるので、不法な意図を持つ者が開封し、商品を損なうような加工を施したり、もしくは偽の商品とすり替える等の行為を行なった後、再度封止する等の不正行為を行なったときは、不正行為があった旨の履歴が残りにくい問題があった。
【０００４】
開封の履歴を残せるものとしては、ホログラムシールがごく一般的である。ホログラムシールが、例えば、透明な基材フィルム上に透明樹脂層を設け、透明樹脂層の上面にレリーフホログラムの微細凹凸をエンボス形成し、形成された微細凹凸上にアルミニウム等の光反射層を形成し、さらに粘着剤層を形成した積層構造を有するもので、粘着剤層側を対象物側に向けて貼り付けることにより、封止を行なうものである。
【０００５】
例えば、基体に形成された収容凹部に貴金属等の薄いプレートを収容し、その上をホログラムシールで封止することにより、開封を容易にし、開封した痕跡を残すことが提案されている。（特許文献１）。
また、基材の内面に積層されたシール層（熱融着性層）にホログラムの微細凹凸を形成しておき、開封した痕跡を残すことも提案されている。（特許文献２）。
【特許文献１】特開平５−３１８６６７号公報。
【特許文献２】特開平６−７２４６４号。
【０００６】
特許文献１に記載された方式を利用する際には、凹部に商品を収納した上にホログラムシールを適用し、さらに台紙を重ねる必要があるが、ホログラムシールが収納された商品と接しているので、商品が動いてホログラムシールが損傷する恐れがある。
また、特許文献２に記載された方式を利用する際には、ブリスター包装体を構成するためのプラスチックシートもしくは台紙の内面側に、ホログラムの微細凹凸が形成されたシール層を積層しておく必要があり、ブリスター包装体を構成するための一般的な材料が使用できない不利がある。
【発明の開示】
【発明が解決しようとする課題】
【０００７】
従って、本発明においては、不正行為があった旨の履歴を確実に残すことが可能で、適用するホログラムシールが商品に接触して損傷する恐れが無く、しかも一般的な材料を用いて構成することが可能なブリスター包装体を提供することを課題とする。
【課題を解決するための手段】
【０００８】
発明者の検討により、ブリスター包装体を構成するプラスチックシートのフランジ部において、プラスチックシートと台紙との間に、ホログラムシールを介在させ、ホログラムシールをプラスチックシートと台紙との両方に接着させることにより、課題を解決し得ることが判明し、本発明に到達することができた。
【０００９】
課題を解決する第１の発明は、少なくとも二枚のシートが重ねられて固着され、前記二枚のシートのうち、少なくとも一方のシートが周囲を残して外側に向かって突出したことによる凸部を有し、前記凸部内に物品が収納され、かつ、前記二枚のシートどうしが前記凸部以外の一部において、シート状のホログラムを介して接着していることを特徴とするブリスター包装体に関するものである。
【００１０】
また、第２の発明は、第１の発明において、前記ホログラムの両面に接着剤層を有しているものであることを特徴とするブリスター包装体に関するものである。
【００１１】
第３の発明は、第１または第２の発明において、前記のホログラムの両面の接着剤層または／およびホログラムの内部において、部分的に接着強度の異なる部分を有し、前記ホログラムを介して接着している前記二枚のシートを剥離する際に、前記ホログラムが部分毎に前記二枚のシートに分離するよう構成されていることを特徴とするブリスター包装体に関するものである。
【発明の効果】
【００１２】
第１または第２の発明によれば、ブリスター包装体の物品が収納された部分以外で、ブリスター包装体を構成する二枚のシートがシート状のホログラムを介して接着しているので、開封により、ホログラムシールが剥がれ、もしくは破壊されるため、開封の履歴を残すことができ、しかも、ホログラムシールは商品の収納部以外に適用されているので、商品が動くことによるホログラムシールの損傷の回避が可能であり、また、ブリスター包装体を構成するための包装材料とは別体のホログラムシールを用いるので、包装材料としては一般的なものを使用することが可能であるブリスター包装体を提供することができる。
【００１３】
第３の発明によれば、第１または第２の発明の発明の効果に加えて、開封時に、ブリスター包装体を構成する二枚のシートの各々に、ホログラムシールの各部分が分離して接着したまま開封されるので、開封の履歴が明瞭であり、再封止がより一層困難なブリスター包装体を提供することができる。
【発明を実施するための最良の形態】
【００１４】
図１は本発明のブリスター包装体１を例示する図であり、図1（ａ）は外観を、また、図１（ｂ）は断面を示している。図１（ａ）に示すように、ブリスター包装体１の観察側に積層されているプラスチックシート（Ａ）２１には、周囲に平坦部（フランジ部）２１ｂが形成されていると共に、ほぼ中央部において凸部２１ａが形成されて、凸部２１ａの内側が空間をなしており、この空間内に物品が収納されている。また、プラスチックシート（Ａ）２１のフランジ部２１ｂの内面には、ホログラムシール５を有している。
【００１５】
図１（ｂ）に示すように、プラスチックシート（Ａ）２１の下方には台紙４が、プラスチックシート（Ａ）２１のフランジ部２１ｂを利用する等して積層されており、台紙４はプラスチックシート（Ａ）２１の凸部２１ａをカバーすると共に、フランジ部のほぼ大半を覆う大きさを有しており、ホログラムシール５は、プラスチックシート（Ａ）２１のフランジ部２１ｂと、台紙４の対応する部分との間に、プラスチックシート（Ａ）２１のフランジ部２１ｂおよび台紙４の両方に接着して積層されている。さらに、図１（ｂ）に示すように、台紙４の下方には、別のプラスチックシート（Ｂ）２２が積層されている。
【００１６】
なお、図１（ｂ）に示す例では、プラスチックシート（Ａ）２１のフランジ部２１ｂの縁には図中の下方に向かう垂直部分２１ｃと垂直部分２１ｃの下端から先のフランジ部２１ｂと平行で外側に向かう幅の狭いフランジ部分２１ｄを有しており、プラスチックシート（Ｂ）２２は、プラスチックシート（Ａ）２１とほぼ外形が同じ平坦部２２ａ、平坦部２２ａの縁には図中の下方に向かう垂直部分２２ｂと垂直部分２２ｂの下端から平坦部２２ａと平行で外側に向かう幅の狭いフランジ部分２２ｃを有しており、両プラスチックシート（Ａ）２１および（Ｂ）２２は、物品３、台紙４およびホログラムシール５を介して積層される際には、前者の垂直部分２１ｃの内側に後者の垂直部分２２ｂの外側が接するようにしてはめこまれ、前者のフランジ部２１ｄの図中の下側に後者のフランジ部２２ｃが互いに接するよう構成されている。
【００１７】
ブリスター包装体１は、図１を引用して説明した、二枚の別個のプラスチックシートと台紙からなり、片方のプラスチックシートが凸部を有するものに限らず、これ以外のものであったもよい。まず、上記の例では、二枚の別個のプラスチックシートと台紙の合計で三枚のシートから構成されるているが、凸部を有する１枚のプラスチックシートと、台紙の二つのシートとから構成されていてもよい。なお、ここで言う「台紙」とは慣用語に従ったものであって、必ずしも紙で構成される必要はなく、プラスチックシートであってもよく、全体として平坦であることが好ましい。
【００１８】
ブリスター包装体が二枚のプラスチックシートを有している場合、両方のシートに外側に向かう凸部を形成してもよく、ブリスター包装体の大きさにくらべて物品の厚みが厚いときにプラスチックシートの深絞りをしなくても済む。両方のシートに外側に向かう凸部を形成して使用する場合、両シート間に、物品が収納される位置に物品の外形に対応する孔を設けた台紙を介在させてもよい。ブリスター包装体が上下二枚のプラスチックシートで構成される場合、両プラスチックシートは、一方の端部でつながったものであってもよく、そのようなものも、ここでは、二枚のプラスチックシートとみなす。
【００１９】
ブリスター包装体を構成する各シートどうしは、接着、針金留め、もしくははめこみによって互いに固着してある。接着は、接着剤もしくは粘着剤を用いた接着、または各接着どうしの熱融着によって行なえる。あるいは、図１(ｂ)において、上側のプラスチックシート（Ａ）２１のフランジ２１ｄを、垂直部分２１ｃの下端から内側に向かうよう構成しておけば、フランジ部分２１ｂとフランジ部分２１ｄとの間の隙間に台紙をスライドさせて挿入し、必要に応じて接着、もしくは針金留めを併用することにより、二枚のシートを固着することができる。
【００２０】
本発明において用いるホログラムシールは、シート状のホログラムが、ブリスター包装体を構成する二枚のシートの両方に接着して封入されている。
【００２１】
図２は本発明において用いるホログラムシールの適用前の形態を例示する図である。図２に示すように、透明な基材シート３８の片面（図中の上面）に剥離性層３７、および透明樹脂からなる光回折構造層３６が順に積層されており、光回折構造層３６の上面には、レリーフホログラムの微細凹凸３５が形成されており、微細凹凸３５上に沿って光反射性層３４が積層されている。以上の構造のものを基材シート側から眺めるとホログラム画像を見ることができる。この例において、ホログラムを構成する最少の要素は、レリーフホログラムの微細凹凸３５が形成された光回折構造層３６と、微細凹凸３５上に沿って積層された光反射性層３４である。光反射性層３４は、アルミニウム等の光反射性の金属薄膜であるほか、光回折構造層３６を構成する樹脂とは光の屈折率の異なる透明層であってもよい。基材シート３８は、液体状の樹脂を用いて塗布を行なって光回折構造層３６を形成する際に、液体状の樹脂の塗布対象となるのであった方がよいが、光反射性層３４までを形成した後、基材シート３８、または基材シート３８および剥離性層３７を除去することもできる。以上が、基本的なシート状のホログラムである。なお、ホログラムと外観が似ていて、単に回折格子もしくは回折格子をパターン上に形成したものも、ここではホログラムに含めるものとする。
【００２２】
上記の基本的なシート状のホログラムは、図中の上下の面に接着性を付与する目的で、接着剤層を積層することが好ましく、接着剤層は感熱接着剤層であってもよいが、圧力をかけるのみでも接着可能な粘着剤層であることがより好ましい。図２においては、上下の面に粘着剤層（Ａ）３２ａおよび粘着剤層（Ｂ）３２ｂを積層した状態をい示す。これらの粘着剤層を積層する場合には粘着剤層がむき出しであると、汚染や不用意な接着の恐れがあるので、離型性シートを積層しておくことが好ましく、図中の３２ａおよび３２ｂが相当する。粘着剤層の積層は、通常、離型性シートへの粘着剤の塗布、塗布後の貼り合わせによって行なうので、ホログラムシールの保管状態においては、そのまま離型性シートを付けておくことが好ましい。
【００２３】
上記の適用前のホログラムシール３１は、上下の面の離型性シート（Ａ）３２ａおよび（Ｂ）３２ｂを剥離し、ブリスター包装体を構成する二枚のシートの間に置き、必要に応じて加熱しつつ加圧し、二枚のシートの間に、いずれのシートとも接着させて積層する。
【００２４】
本発明におけるホログラムシール３１は、このようにして二枚のシート間に適用されるので、二枚のシートを互いに剥離する際には破壊して、開封した履歴が残るが、剥離の際のホログラムシール３１のより一層の確実な破壊を狙う目的で、次のようにしてもよい。
【００２５】
図３は、図２を引用して説明した先のホログラムシールの変形例を示す図である。このホログラムシール３１ａを構成する各層は、剥離性層３７ａが特異であること以外、先のホログラムシール３１におけるものと同じで、先のホログラムシール３１においては、剥離性層３７は一様な連続層として形成されているのに対し、この変形例のホログラムシール３１ａにおいては、剥離性層３７ａは間隔をあけて、不連続層として形成されている。一例として、剥離性層３７ａは、万線状、即ち、比較的狭い幅ｗの線が線の幅方向に２ｗのピッチで配列したパターン状に形成されている。
【００２６】
図４は、図３に示すようなホログラムシール３１ａを、図中の上下の面の離型性シートをいずれも剥離して、ブリスター包装体を構成する二枚のシート４１および４２の間に適用して、互いに積層したものを、剥がす状態を模式的に示す図である。剥離性層３７ａが不連続に形成されている結果、基材シート３８と光回折構造層３６との間の接着性が部分的に異なる状態が生じ、剥離性層３７ａがある箇所では剥離しやすいが、剥離性層３７ａが無い箇所では剥離しにくくなる。従って、二枚のシートを剥離すると、剥離性層３７ａがある箇所では、光回折構造層３６が光反射性層３４に接着したまま、上側のシート４１と共に剥離する部分３６ａを形成し、剥離性層３７ａの無い箇所では、光回折構造層３６が基材シート３８に接着したまま、下側の接着４２と共に剥離する部分３６ｂを形成するので、光回折構造層３６は剥離性層３７ａの有無に従って分離し、破壊される。
【００２７】
図３および図４を引用した説明では、不連続な剥離性層３７ａが形成されたホログラムシール３１ａを引用したが、不連続な剥離性層３７ａを形成する代わりに、光回折構造層３６と光反射性層３４との間に、不連続な低接着性層を形成すれば、低接着性層のある箇所では、光反射性層３４が上側のシート４１側に接着したまま剥離し、低接着性層の無い箇所では、光反射性層３４が下側の接着４２側に接着したまま剥離するので、光反射性層３４が、低接着性層の有無に従って分離し、破壊される。このほかの方式であっても、ホログラムの両面の接着剤層または／およびホログラムの内部において、部分的に接着強度の異なる部分を形成しておけば、このようなホログラムが介在する二枚の接着を剥離すると、ホログラムが破壊される。
【００２８】
上記のほか、本発明のブリスター包装体は、台紙となるシートに適宜に印刷を施して、物品の説明を行なう等してもよく、また、ブリスター包装体を構成するシートに、吊り下げ用のフックや孔を形成してもよい。
【図面の簡単な説明】
【００２９】
【図１】本発明のブリスター包装体を例示する図である。
【図２】ホログラムシールの適用前の形態を例示する図である。
【図３】ホログラムシールの変形例を示す図である。
【図４】ホログラムシールを適用したブリスター包装体の開封の状態を示す図である。
【符号の説明】
【００３０】
１……ブリスター包装体
３……物品
４……台紙
５……ホログラムシール
２１、２２……プラスチックシート（２１ａ；凸部）
３１……ホログラムシール（適用前）
３２……離型性シート
３３……粘着剤層
３４……光反射性層
３５……微細凹凸
３６……光回折構造層
３７……剥離性層
３８……基材シート
【図１】
2005212811.tif 000003
【図２】
2005212811.tif 000004
【図３】
2005212811.tif 000005
【図４】
2005212811.tif 000006